(57)【特許請求の範囲】
【請求項１】
歯科インプラント（１１）において、
縦軸（３６）、基端側端部（ｐｒｏｘｉｍａｌ  ｅｎｄ）（１６）及び末端側端部（ｄｉｓｔａｌ  ｅｎｄ）（１５）を有する本体（１３）と、
前記本体（１３）の外側部分に設けられたインプラント保持手段（１８）と、
前記本体（１３）の一部分内に設けられた内部ボア（３２）であって、前記本体（１３）の基端側端部（１６）に一致する内部ボア基端側端部（１６）、及び内部ボア末端側端部を有する前記内部ボア（３２）と、
基端側端部（１６）及び末端側端部（３３）を有する円錐台形の内向き面（３５）であって、前記内部ボア（３２）の基端側端部（１６）の近くから前記内部ボア（３２）の末端側端部（４２）に向けて延び、かつ該本体（１３）の末端側端部（１５）に向けて内方に斜面とされた内向き面（３５）であって、該内向き面（３５）が末端側端部（１５）へ向けて前記縦軸（３６）に対して内方へ傾斜する角度は８°〜４０°である前記円錐台形の内向き面（３５）と、
前記面（３５）の末端側端部（３３）と前記内部ボア（３２）の末端側端部との間にて前記内部ボア（３２）内に配置された内向きの駆動領域（３１）であって、複数の凹状ローブ（３８）と、前記凹状ローブ（３８）と互い違いに配置された複数の凸状ローブ（３９）とを含み、凹状ローブ（３８）の各々の半径方向最外点は、大径円（４０）上に位置し、前記凸状ローブ（３９）の各々の半径方向最内点は、小径円（４１）上に位置し、前記凹状ローブ（３８）の各々の少なくとも一部分は、円形の形状を有し、前記凸状のローブ（３９）の各々の少なくとも一部分は、円形の形状を有する前記内向きの駆動領域（３１）と、
前記内部ボア（３２）内にてかつ前記駆動領域（３１）の末端側端部（４２）と前記内部ボア（３２）の末端側端部との間に配置された円筒状の収容領域（４４）であって、前記小径円（４１）より小さい収容領域（４４）の直径を規定する内向きの円筒状面を含む前記円筒状の収容領域（４４）と、
前記内部ボア（３２）内にてかつ前記収容領域（４４）と前記本体（１３）の末端側端部（１５）との間に配置された雌ねじ付き部分（３２）であって、前記収容領域（４４）の直径よりも小さい直径を有する前記雌ねじ付き部分（３２）とを備える、歯科インプラント。
【請求項２】
請求項１に記載の歯科インプラント（１１）において、
前記複数の凸状ローブ（３９）の各々の全体は、円形の形状のセグメントにより規定され、前記複数の凹状ローブ（３８）の各々の全体は、円形の形状のセグメントにより規定される、歯科インプラント。
【請求項３】
請求項２に記載の歯科インプラント（１１）において、
前記凹状ローブ（３８）の各々の円形の形状は、単一の円形のセグメントから成り、前記凸状ローブ（３９）の各々の円形の形状は、単一の円形のセグメントから成る、歯科インプラント。
【請求項４】
請求項１に記載の歯科インプラント（１１）において、
前記収容領域（４４）の直径は、前記小径円（４１）の直径と同一である、歯科インプラント。
【請求項５】
請求項１に記載の歯科インプラント（１１）において、
前記凹状ローブ（３８）及び前記凸状ローブ（３９）の各々の全体は、円形の形状から成る、歯科インプラント。
【請求項６】
歯科インプラント組立体であって、
該歯科インプラント組立体は、（ａ）歯科インプラント（１１）と、（ｂ）前記歯科インプラント（１１）と選択的に接続可能なアバットメント（１２）と、（ｃ）アバットメントねじ（１４）とを備え、
（ａ）  前記歯科インプラント（１１）は、
縦軸（３６）、末端側端部（１７）及び開口した基端側端部（１６）を有する本体（１３）と、
前記本体（１３）の外側部分に設けられたインプラント保持手段（１８）と、
前記本体（１３）の一部分内に設けられた内部ボア（３２）であって、前記本体（１３）の開口基端側端部（１６）に一致する基端側端部（１６）と、内部ボア（３２）の末端側端部と、を有する前記内部ボア（３２）と、
基端側端部（１６）及び末端側端部（３３）を有する円錐台形の内向き面（３５）であって、前記内部ボア（３２）の基端側端部（１６）の近くから前記内部ボア（３２）の末端側端部（４２）に向けて延び、かつ該本体（１３）の末端側端部（１５）に向けて内方に斜面とされた内向き面（３５）であって、該内向き面（３５）が末端側端部（１５）へ向けて前記縦軸（３６）に対して内方へ傾斜する角度は８°〜４０°である前記円錐台形の内向き面（３５）と、
前記内部ボア（３２）内に前記円錐台形の内向き面（３５）と前記内部ボア（３２）の末端側端部（４２）との間で配置された内向きの駆動領域（３１）であって、複数の凹状ローブ（３８）と、前記凹状ローブ（３８）と互い違いに配置された複数の凸状ローブ（３９）とを含み、凹状ローブ（３８）の各々の半径方向最外点は、大径円（４０）上に位置し、前記凸状ローブ（３９）の各々の半径方向最内点は、小径円（４１）上に位置し、前記凹状ローブ（３８）の各々の少なくとも一部分は、円形の形状を有し、前記凸状のローブ（３９）の各々の少なくとも一部分は、円形の形状を有する前記内向きの駆動領域（３１）と、
前記内部ボア（３２）内にてかつ前記駆動領域（３１）の末端側端部（４２）と前記内部ボア（３２）の末端側端部との間に配置された円筒状の収容領域（４４）であって、前記小径円より小さい収容領域（４４）の直径を規定する内向きの円筒状面を含む前記円筒状の収容領域（４４）と、
前記内部ボア（３２）の末端側端部における雌ねじ付き領域（３２）であって、前記収容領域（４４）の直径よりも小さい直径を有する前記雌ねじ付き部分（３２）とを備え、
（ｂ）前記アバットメント（１２）は、
基端側端部（４９）と、末端側端部（５０）と、
前記歯科インプラント（１１）及び前記アバットメント（１２）が接続されたとき、前記内向き面（３５）に係合するよう配置された傾斜面（５２）と、
前記歯科インプラント（１１）及び前記アバットメント（１２）が接続されたとき、前記駆動領域（３１）に相応しかつ前記駆動領域（３１）に隣接するアバットメント領域（４５）であって、前記駆動領域（３１）の前記凹状ローブ（３８）及び凸状ローブ（３９）にそれぞれ相応する複数の凸状ローブ（４６）及び複数の凹状ローブ（４８）を含む前記アバットメント領域（４５）と、
補綴物取り付け部（５８）と、
前記補綴物取り付け部分（５８）の少なくとも一部分を貫いて延びる中央ボア（６０）とを備え、
（ｃ）前記アバットメントねじ（１４）は、前記歯科インプラント（１１）、前記アバットメント（１２）及び該アバットメントねじ（１４）が、前記アバットメントねじ（１４）が前記アバットメント（１２）の中央ボア（６０）を貫いて前記歯科インプラント（１１）の前記雌ねじ付き領域（３２）内に延び、且つ前記アバットメント（１２）の傾斜面（５２）及び前記歯科インプラント（１１）の内向き面（３５）がこれらの二つの表面の間で摩擦嵌合係合で互いに係合して、安定性を提供し且つ前記アバットメント（１２）と前記歯科インプラント（１１）との間の揺れ又は微動を排除又は減少させるような形状とされている、歯科インプラント組立体。
【請求項７】
請求項６に記載の歯科インプラント組立体において、
前記アバットメント領域（４５）の直径は、前記収容領域（４４）の直径よりも小さい、歯科インプラント組立体。
【請求項８】
請求項６に記載の歯科インプラント組立体において、
前記内向き面（３５）は、前記末端側端部（１５）へ向けて前記縦軸（３６）に対して１２°〜２０°の角度で傾斜している、歯科インプラント組立体。
【請求項９】
請求項８に記載の歯科インプラント組立体において、
前記アバットメント（１２）の傾斜面（５２）は、前記縦軸（３６）に対して１２°〜２０°の角度で傾斜している、歯科インプラント組立体。
【請求項１０】
請求項１に記載の歯科インプラント（１１）において、
前記内向き面（３５）は、前記縦軸（３６）に対して１２°〜２０°の角度で傾斜している、歯科インプラント。
【請求項１１】
請求項１に記載の歯科インプラント（１１）において、
前記円錐台形の内向き面（３５）は、その基端側端部の所定の直径寸法、及び所定の長さ寸法を有し、該所定の直径寸法は前記縦軸（３６）に対して直交する方向に測定され、又前記所定の長さ寸法は前記縦軸（３６）に平行な方向に測定され、かつ前記長さ寸法は前記直径寸法の１５％〜４０％の範囲にある、歯科インプラント。
【請求項１２】
請求項６に記載の歯科インプラント組立体において、
前記円錐台形の内向き面（３５）は、その基端側端部の所定の直径寸法、及び所定の長さ寸法を有し、該所定の直径寸法は前記縦軸（３６）に対して直交する方向に測定され、又前記所定の長さ寸法は前記縦軸（３６）に平行な方向に測定され、かつ前記長さ寸法は前記直径寸法の１５％〜４０％の範囲にある、歯科インプラント組立体。
【請求項１３】
請求項１１に記載の歯科インプラントにおいて、
前記大径円（４０）は、前記直径寸法の６０％〜９０％の範囲にある、歯科インプラント。
【請求項１４】
請求項１２に記載の歯科インプラント組立体において、
前記大径円（４０）は、前記直径寸法の６０％〜９０％の範囲にある、歯科インプラント組立体。
【請求項１５】
請求項１１に記載の歯科インプラントにおいて、
前記長さ寸法は、前記直径寸法の１５％〜２５％の範囲にある、歯科インプラント。
【請求項１６】
請求項１２に記載の歯科インプラント組立体において、
前記長さ寸法は、前記直径寸法の１５％〜２５％の範囲にある、歯科インプラント組立体。
【請求項１７】
請求項１に記載の歯科インプラントにおいて、
前記複数の凹状ローブ（３８）の各々の円形状の直径は、複数の凸状ローブ（３９）の各々の円形状の直径と同一である、歯科インプラント。
【請求項１８】
請求項６に記載の歯科インプラント組立体において、
前記複数の凹状ローブ（３８）の各々の円形状の直径は、複数の凸状ローブ（３９）の各々の円形状の直径と同一である、歯科インプラント組立体。
【発明の詳細な説明】
【発明の背景】
【０００１】
１．発明の分野
本発明は一般に歯科インプラントの分野、より具体的には、内部接続型インプラントに関する。本発明はまた、内部接続型インプラント及びこれと相補的なアバットメントの組合せに関する。
２．従来技術の説明
この技術分野には現在多種多様の歯科インプラントが存在する。そのような歯科インプラントは通常、患者の口腔内にインプラントを取り付け保持する雄ねじを備えた本体を含む。インプラントの装着には、ラチェット又は他の回転手段等の駆動部材を使用して、事前に穴を開けた又はねじ立てした場所にインプラントを回転して入れることが必要である。インプラントはまた、外部又は内部に位置する駆動領域を含む。インプラントを外部及び内部駆動する様々な構造体が現在存在する。
【０００２】
多くの内部駆動型の歯科インプラントは、インプラントとアバットメント間の十分なトルク伝達及び安定性を提供するが、インプラントの接続不具合は存在し続ける。それ故、改善されたトルク伝達及びインプラント／アバットメント安定性を提供すると共に、インプラントの接続不具合を最小にすることができる構造を備えた内部接続又は内部駆動型インプラントが引き続き必要である。
【発明の概要】
【０００３】
本発明は、歯科インプラントと、歯科インプラント及びアバットメントを組み合わせた組立体、より具体的には内部接続型歯科インプラントと、内部接続型インプラント及びアバットメントを組み合わせた組立体に関する。
【０００４】
一般に、本発明の歯科インプラントは駆動又は割出領域を含み、該領域は応力分布を一様にし、またインプラントの全接続部に亘ってトルク伝送能力を増大させ、これによりインプラントの接続不具合を最小にしかつすべてのサイズのインプラントに使用できる駆動手段を提供する。本発明によるインプラントはまた、インプラントとアバットメント間に高度に安定した接続を提供する安定化領域を含む。
【０００５】
好ましい実施の形態において、駆動及び割出領域は、寸法が等しくかつ形状が等しい複数の凹状及び凸状ローブ（ｌｏｂｅ）を含み、該ローブは小径円と大径円の間に位置決めされる。このローブ付形状（ｌｏｂｅｄｃｏｎｆｉｇｕｒａｔｉｏｎ）は、装着時レンチ又は他の駆動手段と接触する表面積を増大させると共に、十分な厚みのインプラント外壁を提供し、特に軸外装填（ｏｆｆ−ａｘｉｓｌｏａｄｉｎｇ）を収容する時にインプラントの接続不具合への抵抗を改善する。
【０００６】
好ましい実施の形態において、インプラント及び対応するアバットメント間の相対運動、いわゆる微動を最小にし、したがってインプラントとアバットメント間の安定性を改善する安定化領域は、駆動及び割出区域と、インプラントの基端側端部との間に位置決めされた斜面を含む。この斜面はアバットメントの対応する斜面と結合する。この斜面の角度は、インプラントとアバットメント間の接点を安定化させるため摩擦嵌合を形成するのに十分なものである。
【０００７】
それ故、本発明の目的は、回転又は駆動トルクの改善を容易にし、同時に装着及び使用時にインプラント接続の不具合を最小にする内部接続型歯科インプラント及び組立体を提供することにある。
【０００８】
本発明の別の目的は、インプラント及び対応するアバットメント間の安定性を提供する内部接続型歯科インプラント及び組立体を提供することにある。
本発明のこれらの及び他の目的は、図面、好ましい実施の形態の説明及び添付の特許請求の範囲を参照することによって明らかとなろう。
【発明の実施の形態】
【０００９】
本発明は、歯科インプラント及び歯科インプラント組立体、より具体的には、内部駆動又は内部接続型インプラント及び対応する歯科インプラント組立体を対象とする。
まず、分解した形（図１）と、組み立てた又は接続した形（図２）の歯科インプラント組立体１０を示す図１及び２を参照する。歯科組立体１０は、歯科インプラント１１と、アバットメント１２と、アバットメント又は接続ねじ１４を含む。歯科インプラント１１は、末端側端部１５と、基端側端部１６と、本体部１３と、本体上の複数の雄ねじ１８を含む。アバットメントは、末端側端部１９と、基端側端部２０と、内部接続用ボア又は開口１７を含む。接続ねじ１４は、末端側端部２１と基端側端部２３を含む。ねじ１４にはその末端側端部２１の近くに複数の雄ねじ２４、基端側端部２３の近くにはヘッド２２が設けられる。ヘッド２２には、内部六角、内部四角又は他の駆動面等のレンチ係合手段２５が設けられる。
【００１０】
次に、歯科インプラント１１の様々な図を示す図３、４、５及び６を参照する。インプラント１１は、末端側端部１５と、基端側端部１６と、インプラント外面上の雄ねじ１８の形をしたインプラント保持手段を含む。このねじ１８は、患者の顎骨にインプラントを装着するのを容易にし、装着後インプラントを定着させ保持する。本実施の形態ではインプラント保持手段はインプラントの外面の大部分に及ぶ単一の連続ねじ１８を備えるが、そのような保持手段としてはこの技術分野で現在知られ又は今後知られる任意の保持手段を含むことができ、多条ねじ、テーパねじ、異なった高さの交番ねじ（ａｌｔｅｒｎａｔｉｎｇ  ｔｈｒｅａｄｓ）又はねじを備えない保持手段を含むが、これらに限定されるものではない。
【００１１】
インプラント１１はさらに基端側端部１６の近くに位置する外壁部２６を含む。図４及び５に示すように、壁２６はねじ付でない全体に筒状の外面２８と内面２９により規定される。面２９は、以下に説明する内部ローブ付形状を規定し、またこれによって規定される。面２９は下述の凸状及び凹状ローブのいずれをも規定するので、壁２６の厚みは図４に示す薄壁区域（ｓｅｃｔｉｏｎ）から図５に示す厚壁区域へと変化する。壁部２６の外径寸法は、インプラントのこの特定の領域の直径を規定する。
【００１２】
インプラント１１の内側には、安定化領域３０と、駆動及び割出領域３１と、雌ねじボア３２が含まれる。領域３０は、面３４又はその近くから始まり、駆動及び割出領域３１に移行する点３３で終わる。領域３１は今度は点３３又はその近くから始まり、末端側端部４２で終わる。収容領域４４は末端側端部４２とボア３２の間に設けられる。ボア３２は領域４４からインプラント１１の末端側端部１５の方に延びる。ボア３２の雌ねじは、インプラント１１、アバットメント１２及びねじ１４が図２に示す組立位置にあるとき、ねじ１４の雄ねじ２４を相補的に受け入れる。
【００１３】
図３及び６に最も良く示すように、インプラント１１の基端側端部１６には、壁部２６の上端を規定する全体に環状の近位面３４が設けられる。所望により、この面にアール状の縁を設けてもよい。内部斜面３５は面３４からインプラントの末端側端部１５の方に延びる。この面３５は単独で又はアバットメントの対応する面と組み合わせてインプラントの安定化領域３０を形成する。面３５は実質的に円錐台形の内部面であり、該面は末端側端部１５の方に延びるにつれて、インプラント１１と、インプラント／アバットメントの組合せ組立体の縦方向中心線３０に対し角度”Ａ”で内方に傾斜する。面３５は好ましくは、上述の駆動又は割出領域３１におけるインプラントの直径の約１０〜４０％、より好ましくは約１５〜３０％、最も好ましくは約１５〜２５％の距離の間を延びる。
【００１４】
前述のように、面３５は角度”Ａ”で末端側端部１５に向かって内方に傾斜する。この角度は、下述のアバットメントの対応する面と摩擦嵌合を形成し、これによってインプラント１１をアバットメント１２と係止及び／又は安定化させる働きをする任意の角度であってよい。しかしながら、好ましくは、この角度”Ａ”は約８°〜約４０°、より好ましくは約８°〜約３０°、最も好ましくは約８°〜約２０°である。図６に示す角度”Ａ”は約１２°である。さらに、この角度”Ａ”は好ましくは”モールス・テーパ”の角度より大きく、４５°より小さい。
【００１５】
インプラントの駆動及び割出領域３１は、複数の内向きローブを有するローブ付形状からなり、該内向きローブには複数の外方に延びた又は凹状のローブ３８と、内方に延びた同様の数の凸状のローブ３９とが含まれる。本実施の形態では、凹状ローブ３８（及び凸状ローブ３９）は互いに角度が６０°離隔している。したがって、本実施の形態では、６つの凹状ローブ３８と、６つの凸状ローブ３９がある。凹状ローブ３８も凸状ローブ３９も円の一部によって規定され、凹状ローブ３８と凸状ローブ３９間の移行部は、各凹状ローブ３８及びその隣接した凸状ローブ３９の円に接する円弧からなる。さらに、凹状ローブ３８の一部を形成する円と、凸状ローブ３９の一部を形成する円とは、名目上、したがって実質的に同一の半径であることが好ましい。具体的には、本実施形態において凹状ローブ３８と凸状ローブ３９の半径は名目上同一となるよう設計され意図されているが、ローブ３８又は３９の一方の半径は名目上の半径より若干大きくし、他方は若干小さい。製造及び他の誤差を収容し、組立時にすき間を確保するためである。
【００１６】
図３を参照すると、凹状ローブ３８の各々の最外点を横切る円は、ローブ付形状の外径又は大径円を形成する。凸状ローブ３９の各々の最内点を横切る円は、ローブ付形状の内径又は小径円を形成する。好ましくは、大径円４０と小径円４１との差異はできるだけ小さく保ち、なおかつ十分なトルク伝達を提供して、患者の顎骨にインプラントを回転装着し、また必要に応じてインプラントを取り外すようにする。小径円４１はねじ付部３２の最外径より大きくしてねじのねじ付部２４を通さなければならないので、大径円４０と小径円４１間の直径の差異を最小にすることは、大径円４０を最小にし、したがってインプラントの壁部２６の厚みを最大にすることである。このことは今度は装着時及び使用時におけるインプラント１１の強度を最大にし、インプラントの接続不具合を減少させる。この不具合の減少は、軸外装填を必要とする状況に特に当てはまる。小径円４１は好ましくは大径円４０の約６０％〜９０％、より好ましくは約７０％〜９０％、最も好ましくは約８０％〜９０％である。
【００１７】
図６に最も良く示すように、駆動及び割出領域３１は点３３からその末端側端部４２まで延びる。点３３は、領域３０から領域３１への移行部を、したがって面３５の遠位又は終了点と、ローブ付形状の開始又は基端側端部を規定する。好ましくは、ローブ３８及び３９の各々は実質的に平行な線に沿ってその基端側端部３３から末端側端部４２まで延びる。したがって、壁２６の内面２９によって規定されるローブ３８及び３９の面は、インプラントの縦軸３６と実質的に平行に延びる。好ましくは、点３３と末端側端部４２間のローブ３８及び３９を規定する面２９の長さは、面３５の長さの約２倍である。さらに、面２９の長さは好ましくは駆動又は割出領域３１におけるインプラントの直径の約２０〜６０％、より好ましくは約２５〜５０％、最も好ましくは約３０〜４０％である。
【００１８】
それ故、本実施の形態において、駆動及び割出領域３１は、複数の外方に延びる凹状ローブ３８と、複数の内方に延びる又は凸状のローブ３９を備える。これらのローブ３８及び３９は、実質的に同一又は同様の半径を有する円の一部であり、互いに、かつインプラントの縦軸３６に対し実質的に平行な、面２９によって規定された側壁を有する。ローブ付形状の小径円４１は雌ねじボア３２の直径より大きい。また、小径円４１と大径円４０との差異はできるだけ小さく保ち、なおかつ十分なトルク伝達性を提供して、インプラントを装着し、必要に応じて取り外せるようにする。この構造により、直径が増大した外壁２６が提供され、装着又は使用時、インプラントのサイズにかかわらず、また特に軸外装填を必要とする状況のときに、インプラントの接続不具合に抵抗し、したがってこれを減少させることになる。
【００１９】
好ましいローブ付形状は、半径が実質的に等しい部分から形成された複数の凹状ローブ３８及び相補的な凸状ローブ３９を備えるが、本発明の一定の利点は、半径が等しくない円から形成され又は円以外の形状から形成されるローブ付形状によっても達成できる。例えば、長円の一部で形成された凸状及び凹状ローブも考えられる。そのような形状を図７に示すが、ここでは外方に延びる凹状ローブ３８ａと内方に延びる凸状ローブ３９ａは、長円の一部によって規定される。これらの代替形状では、アバットメント、駆動用具及び配置ヘッドの対応する装填物の形状も同様に変更する。
【００２０】
次に、インプラント１１と共に使用できるアバットメント１２の１つの形を示す図８、９及び１０を参照する。アバットメント１２は、インプラントの領域３１に対応する領域４５を含む。この領域４５はローブ付形状を含み、該ローブ付形状は、複数の外方に延びる凸状ローブ４６を含む複数の外向きローブと、複数の凹状ローブ４８からなり、該凸状ローブ４６は凹状ローブ３８と相補し、これと係合するよう設計されており、該凹状ローブ４８は凸状ローブ３９と相補し、これと係合するよう設計される。したがって、図１及び２に示すように組み立てたとき、アバットメントのローブ付形状４５は領域３１のローブ付形状内に挿入され、そこで着座するよう設計される。
【００２１】
ローブ４６及び４８の大径円及び小径円を含む寸法は、ローブ３８及び３９の大径円４０及び小径円４１に近似し又はこれより若干小さい。また、領域３１のローブ付形状のように、ローブ４６及び４８は側壁を有し、該側壁は互いに実質的に平行に、かつインプラント組立体の縦軸３６に対し実質的に平行に延びる。好ましくは、ローブ４６及び４８の基端側端部４９と末端側端部５０との間の長さは、ローブ３８及び３９の対応する長さより若干短い。したがって、ローブ４６及び４８はそれぞれローブ３８及び３９中に比較的精密な許容差で摺動するよう設計される。
【００２２】
アバットメント１２の末端側端部１９は、導入部又は領域５３を含み、またこれによって規定され、該領域は傾斜導入面５１を含む。この導入面５１は、インプラント１１のローブ付形状領域３１中にアバットメント１２のローブ付形状４５を案内するに役立つ。アバットメントとインプラントが図２に示す組み立てられた形にあるとき、導入領域５３と面５１は収容区域４４内に収容される（図２、６及び１２）。
【００２３】
アバットメント１２の係止又は安定化部５７は、ローブ付形状４５の基端側端部４９に隣接して位置決めされ、この端４９から端５４まで延びる。この部分５７は傾斜面５２を含み、該傾斜面はその基端側端部５４から端４９に向かって内方に傾斜する。この面５２は、実質的に円錐台形の外面であり、インプラント及び、組み立てた時はインプラント組立体、の中心線３６に対し角度”Ｂ”を形成する、好ましくは、この角度”Ｂ”は角度”Ａ”と同一である。しかしながら、本発明の一定の利点は、”Ａ”と”Ｂ”が互いに異なる角度であっても達成できる。しかしながら、好ましくは、角度”Ｂ”は約８〜４０°、より好ましくは８〜３０°、最も好ましくは８〜２０°である。
【００２４】
アバットメントの面５２の基端側端部５４から外方に延びるのは、遠位方向に向いた面５５を含む肩部である。この面５５は、アール状の角を備えた全体に環状の形状を有する。いくつかのアバットメント形状において、肩部は省略することができる。
【００２５】
インプラント１１内にアバットメント１２を組み付けると、図２及び１１に最も良く示すように、面５２と３５は互いに摩擦嵌合係合で係合する。傾斜面５２と３５との摩擦嵌合は、これらの２つの面間にテーパ係止係合を提供する。これによりアバットメント１２とインプラント１１との間が安定し、アバットメント１２とインプラント１１間のどのような揺れや微動も排除され又は減少する。
【００２６】
アバットメント１２はさらに、区域５７と基端側端部２０の間に本体部５８を含む。この本体５８は人工歯又は他の器具を支持する。貫通孔又はボア１７が本体５８の一部を貫き、また安定化部５７、ローブ付形状４５及び導入領域５３を貫いて延びる。貫通孔１７は、その基端側端部ではボア５９によって、またその末端側端部ではボア６０によって規定される。ボア５９及び６０はアバットメントねじ支持肩部６１によって連結される。
【００２７】
図２に示すようにアバットメントを組み立て患者に装着すると、アバットメントねじ１４はボア１７を貫いて延び、その雄ねじ２４がインプラント１１の雌ねじ３２と係合する。ねじ１４のヘッド２２は肩部を含み、該肩部はアバットメントの肩部６１と結合し、これに着座する。アバットメントねじ１４を肩部６１に対し前進させるにつれて、面５２は面３５に対し押し込まれ、アバットメントのローブ付形状４５はインプラントのローブ付形状３１内に位置決めされる。
【００２８】
図８、９及び１０に示す実施の形態のアバットメントは、軸外装填をもたらす事前角度付けアバットメントである。したがって、貫通孔１７は、アバットメントの区域５３、４５及び５７と、また組み立てた時はインプラントの縦軸３６と整列するが、アバットメントの本体部５８と完全には整列しない。アバットメントは様々な形状を取ることができ、様々な角度を備えた事前角度付けアバットメントや、軸外取付用でない又はこれを意図しない真っ直ぐなアバットメントも含まれる。これらの真っ直ぐなアバットメントにおいて、貫通孔１７はアバットメントの末端側端部２０を貫いて延びる。
【００２９】
図１３〜１６はインプラント１１を装着する駆動手段の２つの実施の形態を示す。具体的には、図１３及び１４は直接駆動の実施の形態を図示し、図１５及び１６は事前に組み立てられた固定マウントを備えたインプラントを図示する。
【００３０】
図１３及び１４を参照すると、直接駆動手段は、ガイド部６６、駆動部６５、面部６８及び回転領域６９を含む。ガイド部６６は、全体に筒状の、ねじ付でない構造体を備え、該構造体は駆動部材６３の縦軸と全体に平行に延びる。領域６５は、アバットメントのローブ付形状４５（図９）と実質的に一致するローブ付形状を備え、駆動部材６３をインプラント１１に挿入し回転させると、ローブ付形状６５はローブ付形状３１と駆動関係で結合し係合する。回転部６９は、六角、四角又は他の任意の手段を備えることができ、これに電動式の又は非電動の器械等を適用して駆動部材６３を、したがってインプラント１１を回転させる。
【００３１】
図１５及び１６は、インプラントと、これに付随する固定マウント組立体を備える事前組立体を示す。組立体はマウント７０と保持ねじ７１を含む。このアダプタは、アバットメントのローブ付形状（図９）と実質的に一致するローブ付形状７３を含み、図１６に示すようにマウント７０を組み立てられた形でインプラント１１に挿入すると、ローブ付形状７３はローブ付形状３１と駆動関係で結合し係合する。回転部材７４は、アダプタ７０の基端側端部に形成され、図示のように六角形でも、四角でも又は駆動部材を収容すれば他の任意の形でよい。マウント７０は、ねじ７１を受け入れるため中央ボア又は貫通孔７９を含む。ボア７９は、アダプタ７０内にねじ７１を収めるため雌ねじ部８１を含む。ねじは、その末端側端部に雄ねじ部７５、細長いシャフト７６、及びスロット７７又は他の回転手段を備えたヘッド７８を含む。
【００３２】
インプラント１１に組み付けると、図１６に示すように、ローブ付形状７３はインプラント１１の開口端に挿入され、インプラントの対応するローブ付部分３１と結合する。ねじ７１をその後ボア７９の開口端に挿入し、末端側端部をインプラント１１の雌ねじ３２にねじ込む。ねじ７１を締め付けて、マウント７８の下面をマウントの基端側端部８０と堅く係合させ、これにより固定マウント組立体をインプラント１１内にしっかりと固着する。
【００３３】
本発明の歯科インプラント及び歯科インプラント組立体の構造を説明してきたが、その装着は最良には次のように理解することができる。まず、患者の口腔内にインプラントの場所を準備した後、図１３及び１４に示すような直接駆動部材６３により、又は図１５及び１６に示す事前組立の固定マウントにより、インプラントを回転させて装着する。インプラントを所望の装着深さに装着した後、駆動部材６３又は固定マウント組立体をインプラントから取り外す。アバットメントをその後インプラントの開口端内に位置決めし、アバットメントのローブ付形状４５及び面５２をインプラントのローブ付形状３１及び面３５内に位置決めして係合させる。アバットメントねじ１４をその後ボア１７の開口端に挿入し、ラチェット又はこの技術分野で知られた他の回転用具で回転させる。ねじ１４の回転により、傾斜面５２は傾斜面３５に押しつけられ、堅い摩擦嵌合を形成する。これにより、アバットメントとインプラントの間に安定性が提供される。
【００３４】
本実施の形態の説明はかなり具体的であるが、本発明の精神から逸脱することなく様々な改変を加えることができると考えられる。それ故、本発明の範囲は本実施の形態の説明によってでなく添付の特許請求の範囲によって決定されるべきと考えられる。
【図面の簡単な説明】
【００３５】
【図１】本発明による歯科インプラント組立体を示す等角分解図である。
【図２】組み立てた形の図１の歯科インプラント組立体を、その縦中心で切断した平面に沿って見た部分断面図である。
【図３】本発明による歯科インプラントの基端側端部から見た平面図である。
【図４】図３の切断線４−４に沿って見た部分断面図である。
【図５】図３の切断線５−５に沿って見た部分断面図である。
【図６】本発明による歯科インプラントの基端側端部の部分拡大断面図である。
【図７】本発明による歯科インプラントのためのさらなる実施の形態のローブ付形状である。
【図８】本発明による１つの実施の形態のアバットメントをその末端側端部から見た立面図である。
【図９】図８の切断線９−９に沿って見た図８のアバットメントの部分断面図である。
【図１０】本発明による図８及び９のアバットメントの末端側端部の部分拡大側面図である。
【図１１】安定化領域の場所における歯科インプラントとアバットメントの関係を示す部分拡大断面図である。
【図１２】アバットメントの末端側端部と駆動領域の場所における歯科インプラントとアバットメントの関係を示す部分拡大断面図である。
【図１３】本発明による歯科インプラントを装着する直接駆動用具の等角分解図である。
【図１４】インプラントを回転させるのに使用されている図１３の用具の部分断面図である。
【図１５】本発明による歯科インプラントを装着する固定マウント組立体の等角分解図である。
【図１６】インプラント内に事前組立された形の図１５の固定マウント組立体の部分断面図である。
【図１】
0004886683.tif 000002
【図２】
0004886683.tif 000003
【図３】
0004886683.tif 000004
【図４】
0004886683.tif 000005
【図５】
0004886683.tif 000006
【図６】
0004886683.tif 000007
【図７】
0004886683.tif 000008
【図８】
0004886683.tif 000009
【図９】
0004886683.tif 000010
【図１０】
0004886683.tif 000011
【図１１】
0004886683.tif 000012
【図１２】
0004886683.tif 000013
【図１３】
0004886683.tif 000014
【図１４】
0004886683.tif 000015
【図１５】
0004886683.tif 000016
【図１６】
0004886683.tif 000017